(57)【要約】【課題】テレビジョン受像機に映像機器を新たに接続する際に、容易に接続できるようにする。【解決手段】各映像機器２、３にＲＦタグ１５、１６を設け、テレビジョン受像機１にＲＦリーダ１３を設ける。ＲＦタグ１５、１６には、映像機器２、３の個別情報が記憶されている。ＲＦリーダ１３がＲＦタグ１５、１６を検出すると、その映像機器２、３の接続推奨方法をテレビジョン受像機１の液晶ディスプレイ８に表示する。これにより、接続すべき映像機器２、３をテレビジョン受像機１に近付けるだけで、その映像機器２、３が認識されて接続推奨方法が表示される。そのため、使用者はテレビジョン受像機１の機能を熟知していなくても容易に映像機器２、３をテレビジョン受像機１に接続することができる。【選択図】図１
2007043517.tif 000002
【特許請求の範囲】
【請求項１】
無線タグがそれぞれ設けられた１台以上の電子機器と、
無線タグ受信装置が設けられた表示機能付き機器と、
前記無線タグ受信装置が前記無線タグを検出した場合に、当該無線タグに係る電子機器の接続推奨方法を前記表示機能付き機器に表示する接続推奨手段と
を有することを特徴とする機器接続支援システム。
【請求項２】
前記接続推奨手段は、
前記電子機器の接続推奨方法を表示する際に、当該電子機器の個別情報に基づいて接続推奨方法を決定することを特徴とする請求項１に記載の機器接続支援システム。
【請求項３】
前記電子機器の個別情報は、当該電子機器の無線タグに記憶されていることを特徴とする請求項２に記載の機器接続支援システム。
【請求項４】
前記接続推奨手段は、
前記電子機器の接続推奨方法を表示する際に、前記表示機能付き機器にすでに接続されている他の電子機器の接続状況に基づいて当該電子機器の接続推奨方法を決定することを特徴とする請求項１乃至３のいずれかに記載の機器接続支援システム。
【請求項５】
前記電子機器の接続方法が当該電子機器の接続推奨方法と異なる場合に、この接続推奨方法を前記表示機能付き機器に再び表示する再接続促進手段を有することを特徴とする請求項１乃至４のいずれかに記載の機器接続支援システム。
【請求項６】
前記電子機器の接続方法が当該電子機器の接続推奨方法と合致する場合に、当該電子機器の接続が完了した旨を前記表示機能付き機器に表示する接続確認手段を有することを特徴とする請求項１乃至５のいずれかに記載の機器接続支援システム。
【請求項７】
前記無線タグ受信装置は、
前記無線タグの検出動作を所定の時間間隔で複数回にわたって実行することを特徴とする請求項１乃至６のいずれかに記載の機器接続支援システム。
【請求項８】
前記表示機能付き機器は、画像表示機器であることを特徴とする請求項１乃至７のいずれかに記載の機器接続支援システム。
【請求項９】
前記表示機能付き機器は、テレビジョン受像機であることを特徴とする請求項１乃至７のいずれかに記載の機器接続支援システム。
【請求項１０】
１台以上の電子機器にそれぞれ無線タグが設けられる無線タグ設置工程と、
表示機能付き機器に無線タグ受信装置が設けられる受信装置設置工程と、
前記無線タグ受信装置が前記無線タグを検出した場合に、当該無線タグに係る電子機器の接続推奨方法が前記表示機能付き機器に表示される接続推奨工程と
を含むことを特徴とする機器接続支援方法。
【請求項１１】
前記接続推奨工程において、
前記電子機器の接続推奨方法が表示される際に、当該電子機器の個別情報に基づいて接続推奨方法が決定されることを特徴とする請求項１０に記載の機器接続支援方法。
【請求項１２】
前記電子機器の個別情報は、当該電子機器の無線タグに記憶されていることを特徴とする請求項１１に記載の機器接続支援方法。
【請求項１３】
前記接続推奨工程において、
前記電子機器の接続推奨方法が表示される際に、前記表示機能付き機器にすでに接続されている他の電子機器の接続状況に基づいて当該電子機器の接続推奨方法が決定されることを特徴とする請求項１０乃至１２のいずれかに記載の機器接続支援方法。
【請求項１４】
前記電子機器の接続方法が当該電子機器の接続推奨方法と異なる場合に、この接続推奨方法を前記表示機能付き機器に再び表示する再接続促進工程を含むことを特徴とする請求項１０乃至１３のいずれかに記載の機器接続支援方法。
【請求項１５】
前記電子機器の接続方法が当該電子機器の接続推奨方法と合致する場合に、当該電子機器の接続が完了した旨を前記表示機能付き機器に表示する接続確認工程を含むことを特徴とする請求項１０乃至１４のいずれかに記載の機器接続支援方法。
【請求項１６】
前記無線タグ受信装置は、
前記無線タグの検出動作を所定の時間間隔で複数回にわたって実行することを特徴とする請求項１０乃至１５のいずれかに記載の機器接続支援方法。
【請求項１７】
前記表示機能付き機器は、画像表示機器であることを特徴とする請求項１０乃至１６のいずれかに記載の機器接続支援方法。
【請求項１８】
前記表示機能付き機器は、テレビジョン受像機であることを特徴とする請求項１０乃至１６のいずれかに記載の機器接続支援方法。
【発明の詳細な説明】
【技術分野】
【０００１】
本発明は、テレビジョン受像機に映像機器を新たに接続する際に適用するに好適な、機器接続支援システムおよび機器接続支援方法に関するものである。
【背景技術】
【０００２】
近年、テレビジョン受像機の高機能化が進んでおり、単にテレビ放送の視聴のみならず、ＤＶＤ（Digital Versatile Disc）プレーヤ、ビデオテープレコーダなど種々の映像機器を接続して視聴するケースが増えている。そのため、多く（４〜５個）の外部入力端子を備えたテレビジョン受像機が登場してきている。さらに、これらの映像機器の出力フォーマットも多岐にわたっている。例えば、通常のＮＴＳＣ標準信号のほか、ハイビジョン信号、ＲＧＢ信号、ＹＣｒＣｂなどの出力フォーマットが使われている。したがって、テレビジョン受像機の本体裏面などに多くの外部入力端子が並ぶことになり、使用者（視聴者）が映像機器を新たに接続しようとする際には、テレビジョン受像機の取扱説明書を参照しつつ、テレビジョン受像機の本体や、既に接続されている映像機器の内容を考慮して、映像機器の接続作業を進める必要があった。
【０００３】
ところが、これでは、映像機器の接続作業が複雑化し、テレビジョン受像機の機能を熟知していない限り、映像機器を容易に接続できなかった。
【０００４】
そこで、テレビジョン受像機でメニュー画面をオンスクリーン表示させ、映像機器を接続すべき外部入力端子を矢印で指示することにより、映像機器の接続作業を容易化しようとする技術（以下、公知技術１という。）が提案されていた（例えば、特許文献１参照）。
【特許文献１】特開平１０−４２２０３号公報
【発明の開示】
【発明が解決しようとする課題】
【０００５】
しかし、公知技術１では、映像機器を新たに接続しようとする際に、使用者が自らメニュー画面で映像機器を選択しなければならないので、映像機器の接続作業に面倒を伴うという不都合があった。
【０００６】
本発明は、こうした不都合を解消することが可能な、機器接続支援システムおよび機器接続支援方法を提供することを目的とする。
【課題を解決するための手段】
【０００７】
まず、請求項１に係る機器接続支援システムの発明は、無線タグがそれぞれ設けられた１台以上の電子機器と、無線タグ受信装置が設けられた表示機能付き機器と、前記無線タグ受信装置が前記無線タグを検出した場合に、当該無線タグに係る電子機器の接続推奨方法を前記表示機能付き機器に表示する接続推奨手段とを有することを特徴とする。
また、請求項２に係る機器接続支援システムの発明は、前記接続推奨手段は、前記電子機器の接続推奨方法を表示する際に、当該電子機器の個別情報に基づいて接続推奨方法を決定することを特徴とする。
また、請求項３に係る機器接続支援システムの発明は、前記電子機器の個別情報は、当該電子機器の無線タグに記憶されていることを特徴とする。
また、請求項４に係る機器接続支援システムの発明は、前記接続推奨手段は、前記電子機器の接続推奨方法を表示する際に、前記表示機能付き機器にすでに接続されている他の電子機器の接続状況に基づいて当該電子機器の接続推奨方法を決定することを特徴とする。
また、請求項５に係る機器接続支援システムの発明は、前記電子機器の接続方法が当該電子機器の接続推奨方法と異なる場合に、この接続推奨方法を前記表示機能付き機器に再び表示する再接続促進手段を有することを特徴とする。
また、請求項６に係る機器接続支援システムの発明は、前記電子機器の接続方法が当該電子機器の接続推奨方法と合致する場合に、当該電子機器の接続が完了した旨を前記表示機能付き機器に表示する接続確認手段を有することを特徴とする。
また、請求項７に係る機器接続支援システムの発明は、前記無線タグ受信装置は、前記無線タグの検出動作を所定の時間間隔で複数回にわたって実行することを特徴とする。
また、請求項８に係る機器接続支援システムの発明は、前記表示機能付き機器は、画像表示機器であることを特徴とする。
また、請求項９に係る機器接続支援システムの発明は、前記表示機能付き機器は、テレビジョン受像機であることを特徴とする。
また、請求項１０に係る機器接続支援方法の発明は、１台以上の電子機器にそれぞれ無線タグが設けられる無線タグ設置工程と、表示機能付き機器に無線タグ受信装置が設けられる受信装置設置工程と、前記無線タグ受信装置が前記無線タグを検出した場合に、当該無線タグに係る電子機器の接続推奨方法が前記表示機能付き機器に表示される接続推奨工程とを含むことを特徴とする。
また、請求項１１に係る機器接続支援方法の発明は、前記接続推奨工程において、前記電子機器の接続推奨方法が表示される際に、当該電子機器の個別情報に基づいて接続推奨方法が決定されることを特徴とする。
また、請求項１２に係る機器接続支援方法の発明は、前記電子機器の個別情報は、当該電子機器の無線タグに記憶されていることを特徴とする。
また、請求項１３に係る機器接続支援方法の発明は、前記接続推奨工程において、前記電子機器の接続推奨方法が表示される際に、前記表示機能付き機器にすでに接続されている他の電子機器の接続状況に基づいて当該電子機器の接続推奨方法が決定されることを特徴とする。
また、請求項１４に係る機器接続支援方法の発明は、前記電子機器の接続方法が当該電子機器の接続推奨方法と異なる場合に、この接続推奨方法を前記表示機能付き機器に再び表示する再接続促進工程を含むことを特徴とする。
また、請求項１５に係る機器接続支援方法の発明は、前記電子機器の接続方法が当該電子機器の接続推奨方法と合致する場合に、当該電子機器の接続が完了した旨を前記表示機能付き機器に表示する接続確認工程を含むことを特徴とする。
また、請求項１６に係る機器接続支援方法の発明は、前記無線タグ受信装置は、前記無線タグの検出動作を所定の時間間隔で複数回にわたって実行することを特徴とする。
また、請求項１７に係る機器接続支援方法の発明は、前記表示機能付き機器は、画像表示機器であることを特徴とする。
また、請求項１８に係る機器接続支援方法の発明は、前記表示機能付き機器は、テレビジョン受像機であることを特徴とする。
【発明の効果】
【０００８】
本発明によれば、接続すべき電子機器を表示機能付き機器に近付けるだけで、その電子機器が認識されて接続推奨方法が表示されることから、使用者は表示機能付き機器の機能を熟知していなくても容易に電子機器を表示機能付き機器に接続することができる。しかも、公知技術１と異なり、使用者がメニュー画面で電子機器を選択する必要がないので、電子機器の接続作業に面倒を伴わない。その結果、使用時の利便性を大幅に改善することができる。
【発明を実施するための最良の形態】
【０００９】
以下、本発明の実施形態を図面に基づいて説明する。
【００１０】
図１は本発明に係る機器接続支援システムの一実施形態を示すブロック図、図２は第１接続支援プログラムのフローチャート、図３は第２接続支援プログラムのフローチャート、図４は映像機器の接続推奨方法の第１の表示例を示す図、図５は映像機器の接続推奨方法の第２の表示例を示す図である。
【００１１】
機器接続支援システムは、図１に示すように、テレビジョン受像機（表示機能付き機器、画像表示機器）１を有している。このテレビジョン受像機１は、テレビ放送を受信するアンテナ４と、選局や同調を行うチューナ５と、入力を切り替える入力切替器６と、映像信号に各種の処理を施すＯＳＤ制御回路７と、映像を表示する液晶ディスプレイ８と、マイコン（マイクロコンピュータ）９と、３個の外部入力端子１０、１１、１２と、各種のデータを記録するメモリ１７と、ＲＦリーダ（無線タグ受信装置）１３とを備えている。さらに、メモリ１７には、図２に示す第１接続支援プログラムＰＲＧ１と、図３に示す第２接続支援プログラムＰＲＧ２とが読み出し自在に格納されている。また、外部入力端子１０には、すでに１台の映像機器（電子機器）２が接続されており、映像機器２にはＲＦタグ（無線タグ）１５が貼着されている。なお、ＲＦタグ１５を着脱可能に映像機器２に設けることも可能であり、機器接続の際には、映像機器２からＲＦタグ１５を外して液晶ディスプレイ８に直接貼り付けや係止、または液晶ディスプレイ８の近傍に置くことで、以下の手順による接続支援が可能となる。
【００１２】
ここで、新たな映像機器３をテレビジョン受像機１に接続しようとする際には、使用者は、液晶ディスプレイ８に表示されたメニュー（図示せず）から「新規機器の接続」を選択した後、接続しようとする映像機器（電子機器）３をテレビジョン受像機１の近傍（ＲＦリーダ１３の通信領域内で、例えば３０〜４０ｃｍ以内）に設置する。なお、この映像機器３には予めＲＦタグ１６が貼着されており、ＲＦタグ１６には、映像機器３の機種、出力フォーマット、条件などの個別情報が書き込まれている。
【００１３】
こうして「新規機器の接続」が選択されると、マイコン９は、図２に示す第１接続支援プログラムＰＲＧ１をメモリ１７から読み出し、この第１接続支援プログラムＰＲＧ１に基づいて所定の動作を実行する。
【００１４】
すなわち、マイコン９は、ＲＦリーダ１３に対してＲＦタグ検出動作を指令する。これを受けてＲＦリーダ１３は、ＲＦタグ検出動作を実行し、ＲＦタグ１５、１６を検出した場合には、その旨の信号をマイコン９に出力する（第１接続支援プログラムＰＲＧ１のステップＳ１）。
【００１５】
次に、マイコン９は、ＲＦタグ検出の有無を判定する（第１接続支援プログラムＰＲＧ１のステップＳ２）。このとき、テレビジョン受像機１の近傍には映像機器２、３が設置されているので、マイコン９は、ＲＦタグ１５、１６を検出したと判定する。
【００１６】
次いで、マイコン９は、未登録のＲＦタグ検出の有無を判定する（第１接続支援プログラムＰＲＧ１のステップＳ３）。このとき、テレビジョン受像機１の近傍には未登録の映像機器３が設置されているので、マイコン９は、未登録のＲＦタグ１６を検出したと判定する。
【００１７】
次に、マイコン９は、映像機器３が本当に接続しようとしているものであるかを確認するため、１分間だけ待ってから（第１接続支援プログラムＰＲＧ１のステップＳ４）、ＲＦリーダ１３に対してＲＦタグ検出動作を指令する。これを受けてＲＦリーダ１３は、ＲＦタグ検出動作を再び実行し、ＲＦタグ１５、１６を検出した場合には、その旨の信号をマイコン９に出力する（第１接続支援プログラムＰＲＧ１のステップＳ５）。そして、マイコン９は、ＲＦタグ検出の有無を再び判定する（第１接続支援プログラムＰＲＧ１のステップＳ６）。このとき、テレビジョン受像機１の近傍には未登録の映像機器３が依然として設置されたままであるので、マイコン９は、未登録のＲＦタグ１６を検出したと判定する。
【００１８】
次いで、マイコン９は、ＲＦリーダ１３に対して映像機器３の個別情報の取得を指令する。これを受けてＲＦリーダ１３は、映像機器３の個別情報をＲＦタグ１６から取得し、マイコン９に出力する（第１接続支援プログラムＰＲＧ１のステップＳ７）。
【００１９】
また、マイコン９は、現在の接続状況を確認する（第１接続支援プログラムＰＲＧ１のステップＳ８）。このとき、外部入力端子１０には映像機器２がすでに接続されているので、マイコン９は、外部入力端子１１、１２のみが接続可能であると認識する。
【００２０】
そして、マイコン９は、映像機器３の個別情報および現在の接続状況に基づき、映像機器３の接続推奨方法を決定する（第１接続支援プログラムＰＲＧ１のステップＳ９）。
【００２１】
次いで、マイコン９は、ＯＳＤ制御回路７に対して接続推奨方法の表示を指令する。これを受けてＯＳＤ制御回路７は、図４または図５に示すように、映像機器３の接続推奨方法を液晶ディスプレイ８上に模式化して分かりやすくオンスクリーン表示する（第１接続支援プログラムＰＲＧ１のステップＳ１０）。
【００２２】
これを見て使用者は、映像機器３をテレビジョン受像機１の外部入力端子１１または１２に接続する。したがって、使用者は、テレビジョン受像機１の機能を熟知していなくても容易に映像機器３をテレビジョン受像機１に接続することが可能となる。しかも、公知技術１と異なり、使用者が自らメニュー画面で映像機器３を選択する必要がないので、映像機器３の接続作業に面倒を伴わない。その結果、使用時の利便性を大幅に改善することができる。
【００２３】
次いで、マイコン９は、映像機器３が接続推奨方法どおりに接続されたか否かを判定する（第１接続支援プログラムＰＲＧ１のステップＳ１１）。
【００２４】
そして、映像機器３が接続推奨方法どおりに接続されている場合は、マイコン９は、ＯＳＤ制御回路７に対して接続完了の表示を指令する。これを受けてＯＳＤ制御回路７は、映像機器３の接続が完了した旨を液晶ディスプレイ８上にオンスクリーン表示する（第１接続支援プログラムＰＲＧ１のステップＳ１２）。ここで、第１接続支援プログラムＰＲＧ１による動作が終了する。
【００２５】
一方、映像機器３が接続推奨方法どおりに接続されていない場合は、第１接続支援プログラムＰＲＧ１のステップＳ１０に戻り、マイコン９は、ＯＳＤ制御回路７に対して接続推奨方法の表示を指令し、ＯＳＤ制御回路７は、映像機器３の接続推奨方法を液晶ディスプレイ８上に再びオンスクリーン表示する。その後、第１接続支援プログラムＰＲＧ１のステップＳ１１に移行し、マイコン９は、映像機器３が接続推奨方法どおりに接続されたか否かを再び判定する。これらの動作は、映像機器３が接続推奨方法どおりに接続されるまで繰り返される。したがって、最終的には、使用者は映像機器３をテレビジョン受像機１に適正に接続することができる。
【００２６】
ところで、第１接続支援プログラムＰＲＧ１のステップＳ２における判定で、ＲＦタグ１５、１６が検出されなかった場合には、すでにテレビジョン受像機１に接続されている映像機器２がなく、これからテレビジョン受像機１に接続する映像機器３もないことになるので、マイコン９は、ＯＳＤ制御回路７に対して検出不可の表示を指令する。これを受けてＯＳＤ制御回路７は、液晶ディスプレイ８上に「新規機器を検出できませんでした」とオンスクリーン表示する（第１接続支援プログラムＰＲＧ１のステップＳ１３）。したがって、接続予定のない映像機器３について、その接続推奨方法が液晶ディスプレイ８上にオンスクリーン表示される無駄は生じない。
【００２７】
また、第１接続支援プログラムＰＲＧ１のステップＳ３における判定で、未登録のＲＦタグ１６が検出されなかった場合には、すでにテレビジョン受像機１に接続されている映像機器２はあっても、これからテレビジョン受像機１に接続する映像機器３はないことになるので、マイコン９は、ＯＳＤ制御回路７に対して検出不可の表示を指令する。これを受けてＯＳＤ制御回路７は、液晶ディスプレイ８上に「新規機器を検出できませんでした」とオンスクリーン表示する（第１接続支援プログラムＰＲＧ１のステップＳ１３）。したがって、接続予定のない映像機器３について、その接続推奨方法が液晶ディスプレイ８上にオンスクリーン表示される無駄は生じない。
【００２８】
さらに、第１接続支援プログラムＰＲＧ１のステップＳ６における判定で、未登録のＲＦタグ１６が検出されなかった場合には、１分前の判定（第１接続支援プログラムＰＲＧ１のステップＳ３における判定）では、テレビジョン受像機１の近傍に未登録の映像機器３が存在したにもかかわらず、今はこの映像機器３が存在しないことになる。この場合、接続しようとしていない映像機器３が１分前にたまたまテレビジョン受像機１に近付いて検出されてしまったことが想定されるので、マイコン９は、ＯＳＤ制御回路７に対して検出不可の表示を指令する。これを受けてＯＳＤ制御回路７は、液晶ディスプレイ８上に「新規機器を検出できませんでした」とオンスクリーン表示する（第１接続支援プログラムＰＲＧ１のステップＳ１３）。したがって、接続予定のない映像機器３が誤って検出されてしまう不都合を避けることができる。
【００２９】
なお、上述の実施形態においては、新たな映像機器３をテレビジョン受像機１に接続しようとする際に使用者が液晶ディスプレイ８上のメニューで「新規機器の接続」を選択する場合について説明したが、テレビジョン受像機１の電源が入っているときは常にＲＦタグ検出動作を行い、新たな映像機器３を検出した場合に、その接続推奨方法をオンスクリーン表示するようにしても構わない。
【００３０】
この場合、マイコン９は、図３に示す第２接続支援プログラムＰＲＧ２をメモリ１７から読み出し、この第２接続支援プログラムＰＲＧ２に基づいて所定の動作を実行する。
【００３１】
すなわち、マイコン９は、迅速な応答を確保しつつ頻繁な検出による無駄を避けるため、所定の時間（ここでは、１分間）だけ待ってから（第２接続支援プログラムＰＲＧ２のステップＳ１）、ＲＦリーダ１３に対してＲＦタグ検出動作を指令する。これを受けてＲＦリーダ１３は、ＲＦタグ検出動作を実行し、ＲＦタグ１５、１６を検出した場合には、その旨の信号をマイコン９に出力する（第２接続支援プログラムＰＲＧ２のステップＳ２）。
【００３２】
次に、マイコン９は、ＲＦタグ検出の有無を判定する（第２接続支援プログラムＰＲＧ２のステップＳ３）。このとき、テレビジョン受像機１の近傍には映像機器２、３が設置されているので、マイコン９は、ＲＦタグ１５、１６を検出したと判定する。
【００３３】
次いで、マイコン９は、未登録のＲＦタグ検出の有無を判定する（第２接続支援プログラムＰＲＧ２のステップＳ４）。このとき、テレビジョン受像機１の近傍には未登録の映像機器３が設置されているので、マイコン９は、未登録のＲＦタグ１６を検出したと判定する。
【００３４】
次に、マイコン９は、映像機器３が本当に接続しようとしているものであるかを確認するため、１分間だけ待ってから（第２接続支援プログラムＰＲＧ２のステップＳ５）、ＲＦリーダ１３に対してＲＦタグ検出動作を指令する。これを受けてＲＦリーダ１３は、ＲＦタグ検出動作を再び実行し、ＲＦタグ１５、１６を検出した場合には、その旨の信号をマイコン９に出力する（第２接続支援プログラムＰＲＧ２のステップＳ６）。そして、マイコン９は、ＲＦタグ検出の有無を再び判定する（第２接続支援プログラムＰＲＧ２のステップＳ７）。このとき、テレビジョン受像機１の近傍には未登録の映像機器３が依然として設置されたままであるので、マイコン９は、未登録のＲＦタグ１６を検出したと判定する。
【００３５】
次いで、マイコン９は、ＲＦリーダ１３に対して映像機器３の個別情報の取得を指令する。これを受けてＲＦリーダ１３は、映像機器３の個別情報をＲＦタグ１６から取得し、マイコン９に出力する（第２接続支援プログラムＰＲＧ２のステップＳ８）。
【００３６】
また、マイコン９は、現在の接続状況を確認する（第２接続支援プログラムＰＲＧ２のステップＳ９）。このとき、外部入力端子１０には映像機器２がすでに接続されているので、マイコン９は、外部入力端子１１、１２のみが接続可能であると認識する。
【００３７】
そして、マイコン９は、映像機器３の個別情報および現在の接続状況に基づき、映像機器３の接続推奨方法を決定する（第２接続支援プログラムＰＲＧ２のステップＳ１０）。
【００３８】
次いで、マイコン９は、ＯＳＤ制御回路７に対して接続推奨方法の表示を指令する。これを受けてＯＳＤ制御回路７は、図４または図５に示すように、映像機器３の接続推奨方法を液晶ディスプレイ８上に模式化して分かりやすくオンスクリーン表示する（第２接続支援プログラムＰＲＧ２のステップＳ１１）。
【００３９】
これを見て使用者は、映像機器３をテレビジョン受像機１の外部入力端子１１または１２に接続する。したがって、使用者は、テレビジョン受像機１の機能を熟知していなくても容易に映像機器３をテレビジョン受像機１に接続することが可能となる。しかも、公知技術１と異なり、使用者が自らメニュー画面で映像機器３を選択する必要がないので、映像機器３の接続作業に面倒を伴わない。これに加えて、使用者は、液晶ディスプレイ８上のメニューで「新規機器の接続」を選択する必要すらない。その結果、使用時の利便性を一層改善することができる。
【００４０】
次いで、マイコン９は、映像機器３が接続推奨方法どおりに接続されたか否かを判定する（第２接続支援プログラムＰＲＧ２のステップＳ１２）。
【００４１】
そして、映像機器３が接続推奨方法どおりに接続されている場合は、マイコン９は、ＯＳＤ制御回路７に対して接続完了の表示を指令する。これを受けてＯＳＤ制御回路７は、映像機器３の接続が完了した旨を液晶ディスプレイ８上にオンスクリーン表示する（第２接続支援プログラムＰＲＧ２のステップＳ１３）。ここで、第２接続支援プログラムＰＲＧ２による動作が終了する。
【００４２】
一方、映像機器３が接続推奨方法どおりに接続されていない場合は、第２接続支援プログラムＰＲＧ２のステップＳ１１に戻り、マイコン９は、ＯＳＤ制御回路７に対して接続推奨方法の表示を指令し、ＯＳＤ制御回路７は、映像機器３の接続推奨方法を液晶ディスプレイ８上に再びオンスクリーン表示する。その後、第２接続支援プログラムＰＲＧ２のステップＳ１２に移行し、マイコン９は、映像機器３が接続推奨方法どおりに接続されたか否かを再び判定する。これらの動作は、映像機器３が接続推奨方法どおりに接続されるまで繰り返される。したがって、最終的には、使用者は映像機器３をテレビジョン受像機１に適正に接続することができる。
【００４３】
ところで、第２接続支援プログラムＰＲＧ２のステップＳ３における判定で、ＲＦタグ１５、１６が検出されなかった場合には、すでにテレビジョン受像機１に接続されている映像機器２がなく、これからテレビジョン受像機１に接続する映像機器３もないことになるので、第２接続支援プログラムＰＲＧ２のステップＳ１に戻り、上述した動作を繰り返す。
【００４４】
また、第２接続支援プログラムＰＲＧ２のステップＳ４における判定で、未登録のＲＦタグ１６が検出されなかった場合には、すでにテレビジョン受像機１に接続されている映像機器２はあっても、これからテレビジョン受像機１に接続する映像機器３はないことになるので、第２接続支援プログラムＰＲＧ２のステップＳ１に戻り、上述した動作を繰り返す。
【００４５】
さらに、第２接続支援プログラムＰＲＧ２のステップＳ７における判定で、未登録のＲＦタグ１６が検出されなかった場合には、１分前の判定（第２接続支援プログラムＰＲＧ２のステップＳ４における判定）では、テレビジョン受像機１の近傍に未登録の映像機器３が存在したにもかかわらず、今はこの映像機器３が存在しないことになる。この場合、接続しようとしていない映像機器３が１分前にたまたまテレビジョン受像機１に近付いて検出されてしまったことが想定されるので、第２接続支援プログラムＰＲＧ２のステップＳ１に戻り、上述した動作を繰り返す。したがって、接続予定のない映像機器３が誤って検出されてしまう不都合を避けることができる。
【００４６】
なお、上述の実施形態においては、ＲＦタグ１６の検出動作を１分間隔（第１接続支援プログラムＰＲＧ１のステップＳ４、第２接続支援プログラムＰＲＧ２のステップＳ５）で２回実行する場合について説明したが、この時間間隔や実行回数はこれに限るわけではなく、任意の時間間隔（例えば、３分間隔など）および実行回数（例えば、３回など）に設定することができる。
【００４７】
なお、上述の実施形態においては、映像機器３をテレビジョン受像機１に接続する場合について説明したが、映像機器３以外の電子機器（例えば、音声機器、文字放送機器など）を接続する場合に本発明を適用することもできる。
【００４８】
なお、上述の実施形態においては、液晶ディスプレイ８を備えたテレビジョン受像機１について説明したが、液晶ディスプレイ８以外の表示装置（例えば、プラズマディスプレイ、有機ＥＬディスプレイ、ＣＲＴ（ブラウン管）、ＬＥＤディスプレイ、ＳＥＤ（表面電界ディスプレイ）、プロジェクターなど）を代用することも可能である。
【００４９】
なお、上述の実施形態においては、チューナ５が内蔵されたテレビジョン受像機１を有する機器接続支援システムについて説明した。しかし、このテレビジョン受像機１に代えて、チューナ５を持たない映像モニター機器などの画像表示機器を採用しても、さらに、表示機能付き機器（例えば、表示ディスプレイ付きオーディオシステム、表示用パネルを持つカメラ、表示部を持つビデオテープレコーダ、表示部を持つＤＶＤレコーダ、表示部を持つＳＴＢ（セットトップボックス）など）を採用しても、同様の効果を奏することは言及するまでもない。
【図面の簡単な説明】
【００５０】
【図１】本発明に係る機器接続支援システムの一実施形態を示すブロック図である。
【図２】第１接続支援プログラムのフローチャートである。
【図３】第２接続支援プログラムのフローチャートである。
【図４】映像機器の接続推奨方法の第１の表示例を示す図である。
【図５】映像機器の接続推奨方法の第２の表示例を示す図である。
【符号の説明】
【００５１】
１……テレビジョン受像機（表示機能付き機器、画像表示機器）
２、３……映像機器（電子機器）
８……液晶ディスプレイ
７……ＯＳＤ制御回路（接続推奨手段、再接続促進手段、接続確認手段）
９……マイコン
１０、１１、１２……外部入力端子
１３……ＲＦリーダ（無線タグ受信装置）
１５、１６……ＲＦタグ（無線タグ）
１７……メモリ
【図１】
2007043517.tif 000003
【図２】
2007043517.tif 000004
【図３】
2007043517.tif 000005
【図４】
2007043517.tif 000006
【図５】
2007043517.tif 000007